(57)【要約】【課題】  先行文献の構造にあっては、椅子と洗髪ボウルとの間隔が狭いため、被施術者が着座している状態において後方からの施術がし難いといった問題があった。【解決手段】  油圧シリンダ７の伸長によりメインリンク５が変移し、該メインリンクの変移により連結リンク９が変移することでサブリンク６が変移して座部８を上昇させ、また、サブリンクの変移によって背凭れリンク１２が変移することで固定リンク１１を伏倒方向に変移させ、該固定リンクの変移により回動板１０ｃが変移して背凭れ１０を伏倒させるようにした理美容椅子の昇降装置である。【選択図】        図１
2010179003.tif 000002
【特許請求の範囲】
【請求項１】
基台に立設されたメインリンクブラケットおよびサブリンクブラケットと、平行リンクを構成する前記メインリンクブラケットに軸支されたメインリンクおよび前記サブリンクブラケットに軸支されたサブリンクと、前記基台に一端が軸支され他端が前記メインリンクに軸支された油圧シリンダと、一端が前記メインリンクに軸支され他端が前記サブリンクに軸支された連結リンクと、前記サブリンクの変移により変移する背凭れリンクと、該背凭れリンクの上端が軸支された固定リンクが取付けられた背凭れと、前記メインおよびサブリンクの変移により上下動する座部と、該座部に一体的に取付けられ前記背凭れの下部を軸支する背凭れ基材と、該背凭れ基材と前記背凭れとの軸支点に一端が軸支され他端が背凭れに取付けられた回動板とより構成し、前記油圧シリンダの伸長により前記メインリンクが変移し、該メインリンクの変移により前記連結リンクが変移することで前記サブリンクが変移して座部を上昇させ、また、前記サブリンクの変移によって背凭れリンクが変移することで前記固定リンクを伏倒方向に変移させ、該固定リンクの変移により前記回動板が変移して前記背凭れを伏倒させるようにしたことを特徴とする理美容椅子の昇降装置。
【請求項２】
前記固定リンクには、折曲部を介して長孔が形成されたリンク受け部が形成され、前記背凭れリンクの上端に取付けられたガイド軸が案内され、かつ、該ガイド軸と前記背凭れ背面との間にスプリングが張設され、前記背凭れの伏倒動作において背凭れの上部と洗髪ボウルとの間に異物が挟まった場合には、前記ガイド軸が前記長孔内を前記スプリングのバネ力に抗して移動することで洗髪ボウルと背凭れとの間に挟まれた異物への負荷を軽減したことを特徴とする請求項１記載の理美容椅子の昇降装置。
【請求項３】
前記メインリンクブラケットおよびサブリンクブラケットの上下方向に前記メインリンクおよびサブリンクを軸支するための複数の取付孔を形成し、該取付孔を選択して前記メインリンクおよびサブリンクを軸支することで、座部の初高位置および背凭れが伏倒した際の背凭れ上端の到達位置および背凭れが伏倒した際の背凭れの上端位置を変更できるようにしたことを特徴とする請求項１記載の理美容椅子の昇降装置。
【発明の詳細な説明】
【技術分野】
【０００１】
本発明は、１つの油圧シリンダで座部が昇降し、該昇降に伴って背凭れが起伏する、特に、洗髪ボウルに対して座部を上昇させると共に背凭れが伏倒して被施術者の洗髪を行うのに適した理美容椅子の昇降装置に関する。
【背景技術】
【０００２】
洗髪に適する理美容椅子としては、例えば、特開２００３−２５０６５２号公報に開示された発明がある。この発明は、１つの油圧シリンダによって座部を上昇させ、この座部の昇降に伴って背凭れを起伏させる構造のものである。すなわち、油圧シリンダによって座部を昇降させ、該昇降する座部に一端が背凭れに接続されたリンクの他端を接続し、座部が昇降すると前記リンクを介して背凭れが連動して起伏する構造のものである。
【０００３】
そして、前記した先行文献にあっては、背凭れは座部の後方部に軸支された状態で起伏動作を行うものであるので、背凭れの上端は座部との軸支点を支点して円弧運動して、被施術者の首後ろ部を洗髪ボウルの凹部で支持するものである。
【先行技術文献】
【特許文献】
【０００４】
【特許文献１】特開２００３−２５０６５２号公報
【発明の概要】
【発明が解決しようとする課題】
【０００５】
ところで、前記した先行文献の構造にあっては、椅子と洗髪ボウルとの間隔が狭いため、被施術者が着座している状態において後方からの施術がし難いといった問題があった。
【０００６】
本発明は前記した問題点を解決せんとするもので、その目的とするところは、被施術者が着座状態での施術において背凭れと洗髪ボウルとの間隔を十分に維持することができ表示施術者の後方から施術ができると共に背凭れが伏倒した状態で背凭れの上端が洗髪ボウルに近接した位置とすることができる理美容椅子の昇降装置を提供せんとするものである。
【課題を解決するための手段】
【０００７】
本発明の理美容椅子の昇降装置は、前記した目的を達成せんとするもので、請求項１の手段は、基台に立設されたメインリンクブラケットおよびサブリンクブラケットと、平行リンクを構成する前記メインリンクブラケットに軸支されたメインリンクおよび前記サブリンクブラケットに軸支されたサブリンクと、前記基台に一端が軸支され他端が前記メインリンクに軸支された油圧シリンダと、一端が前記メインリンクに軸支され他端が前記サブリンクに軸支された連結リンクと、前記サブリンクの変移により変移する背凭れリンクと、該背凭れリンクの上端が軸支された固定リンクが取付けられた背凭れと、前記メインおよびサブリンクの変移により上下動する座部と、該座部に一体的に取付けられ前記背凭れの下部を軸支する背凭れ基材と、該背凭れ基材と前記背凭れとの軸支点に一端が軸支され他端が背凭れに取付けられた回動板とより構成し、前記油圧シリンダの伸長により前記メインリンクが変移し、該メインリンクの変移により前記連結リンクが変移することで前記サブリンクが変移して座部を上昇させ、また、前記サブリンクの変移によって背凭れリンクが変移することで前記固定リンクを伏倒方向に変移させ、該固定リンクの変移により前記回動板が変移して前記背凭れを伏倒させるようにしたことを特徴とする。
【０００８】
請求項２の手段は、前記した請求項１において、前記固定リンクには、折曲部を介して長孔が形成されたリンク受け部が形成され、前記背凭れリンクの上端に取付けられたガイド軸が案内され、かつ、該ガイド軸と前記背凭れ背面との間にスプリングが張設され、前記背凭れの伏倒動作において背凭れの上部と洗髪ボウルとの間に異物が挟まった場合には、前記ガイド軸が前記長孔内を前記スプリングのバネ力に抗して移動することで洗髪ボウルと背凭れとの間に挟まれた異物への負荷を軽減したことを特徴とする。
【０００９】
請求項３の手段は、前記した請求項１において、前記メインリンクブラケットおよびサブリンクブラケットの上下方向に前記メインリンクおよびサブリンクを軸支するための複数の取付孔を形成し、該取付孔を選択して前記メインリンクおよびサブリンクを軸支することで、座部の初高位置および背凭れが伏倒した際の背凭れ上端の到達位置および背凭れが伏倒した際の背凭れの上端位置を変更できるようにしたことを特徴とする。
【発明の効果】
【００１０】
本発明は前記したように、油圧シリンダの伸長によりメインリンクが変移し、該メインリンクの変移により連結リンクが変移することでサブリンクが変移して座部を上昇させ、また、前記サブリンクの変移によって背凭れリンクが変移することで固定リンクを伏倒方向に変移させ、該固定リンクの変移により回動板が変移して背凭れが伏倒するようにしたので、被施術者が着座状態である場合に洗髪ボウルと背凭れとの間隔が大きく、従って、施術者にとって施術が行い易くなり、また、背凭れが伏倒した状態において背凭れの上端が洗髪ボウルに近接して洗髪作業が行い易くなる。
【００１１】
また、通常は背凭れの伏倒動作において背凭れが洗髪ボウルに当接することはないが、該洗髪ボウルと背凭れの上端との間に異物（例えば、施術者の身体の一部）が挟まったような場合であっても、洗髪ボウルと背凭れに挟まれた異物への負荷が軽減されるので異物の損傷を防止することができる。
【００１２】
さらに、メインリンクブラケットおよびサブリンクブラケットの上下方向に前記メインリンクおよびサブリンクを軸支するための複数の取付孔を形成しので、理美容院等に設置されている洗髪ボウルの高さに合わせて前記取付孔を選択して前記メインリンクおよびサブリンクを軸支することで、座部の初高位置が変更されて最適な椅子と洗髪ボウルとの関係位置を設定することができる等の効果を有するものである。
【図面の簡単な説明】
【００１３】
【図１】本発明に係る理美容椅子の昇降装置の一実施例を示す初期位置の側面図である。
【図２】座部が上昇し背凭れが伏倒した状態の側面図である。
【図３】座部が上昇し背凭れが伏倒した状態の背面側から見た斜視図である。
【図４】初期状態における椅子を昇降させるリンク機構のみを示した側面図である。
【図５】図４において座部を上昇させた状態における椅子を昇降させるリンク機構のみを示した側面図である。
【発明を実施するための形態】
【００１４】
以下、本発明に係る理美容椅子の昇降装置の一実施例を図面と共に説明する。
１は理美容院等の床面に固定される基台にして、該基台１には平行リンクの１つである左右一対のメインリンク５の下端が軸支された左右一対のメインリンクブラケット２と、平行リンクの他の１つである左右一対のサブリンク６の下端が軸支された左右一対のサブリンクブラケット２および油圧シリンダ７の一端が軸支された左右一対のシリンダブラケット４が垂直状態で取付けられている。
【００１５】
なお、前記メインリンク５の一端はメインリンクブラケット２の間を連結する支持軸２ａに軸支されている。また、前記メインおよびサブリンクブラケット２，３およびシリンダブラケット４には垂直方向に対して複数（図面では３個）の取付孔２ａ，３ａ，４ａが開口されている。
【００１６】
前記メインリンク５の上端は椅子の座部８におけるシート基材８ａの下面から垂下されているシートフレーム８ｂに軸支されている。また、メインリンク５の比較的上方には突出片５ａが形成されており、該突出片５ａ同士の間にはメインリンク棒５ｂが固定状態で取付けられている。
【００１７】
そして、前記メインリンク棒５ｂの中間部には前記油圧シリンダ７の他端を軸支するためのラム取付片５ｃが固定状態で取付けられている。また、該ラム取付片５ｃと近接した位置には後述するサブリンク棒６ａに取付けられた連結片６ｃと対向する位置には連結片５ｄが固定状態で取付けられ、該連結片５ｄには連結リンク９の一端が軸支されている。
【００１８】
前記サブリンク６の上端は前記シート基材８ａの下面から垂下されている他のシートフレーム８ｃに軸支されている。また、サブリンク６どうしの間にはサブリンク棒６ａが固定状態で取付けられている。そして、前記サブリンク棒６ａの中間部には後述する背凭れリンク１２の下端を軸支するための背凭れリンク片６ｂが固定状態で取付けられ、さらに、サブリンク棒６ａには一端が前記メインリンク棒５ｂの連結片５ｄに軸支された連結リンク９の他端を軸支するための連結片６ｃが固定状態で取付けられている。
【００１９】
１０は背凭れにして、前記シート基材８ａに固定したＬ字状の背凭れ支持板１０ａによって回転自在に軸支されている。また、背凭れ支持板１０ａの回転軸部には背凭れ基材１０ｂに一端固定された背凭れ回動板１０ｃが軸支されている。そして、背凭れ１０が起立状態にある場合には、前記回動板１０ｃとの軸支点に対して前記背凭れ支持板１０ａの背凭れ基材１０ｂとの止着部分が遠い位置にあるため、背凭れ１０の下部はシート基材８ａの後方に位置している。
【００２０】
１１は一端が背凭れ１０の前記回動板１０ｂが取付けられた部分の正面側に取付けられた固定リンクにして、他端は背凭れ１０の背面に沿うように折曲部１１ａを介してリンク受け部１１ｂが一体的に形成されている。そして、このリンク受け部１１ｂに長手方向に沿って長孔１１ｃが形成されている。
【００２１】
１２は下端が前記サブリンク棒６ａに軸支され、上端には前記長孔１１ｃ内を摺動可能なガイド軸１２ａが取付けられた背凭れリンクにして、該ガイド軸１２ａは背凭れ１０の起立時および伏倒時において前記長孔１１ｃの折曲部１１ａに位置している。１３は一端が背凭れ１０の背面に支持され、他端が前記ガイド軸１２ａに係止された一対のスプリングである。
【００２２】
次に、前記した構成に基づいて座部８が上下動する動作を座部の下方のリンク機構のみを示した図４，５と共に説明する。
図４は座部８が下降され、背凭れが起立した状態（以下、初期位置という）において、図示していないが座部８を上昇させるためのフットペダルや背凭れの側面に設置された上昇用スイッチを操作すると、油圧シリンダ７に油が注入されラムが伸長される。
【００２３】
ラムが伸長されるとラム取付片５ｃとの軸支点ａが押し上げられるので、該ラム取付片５ｃが固定されているメインリンク棒５ｂに対して上方への力が作用する。ここで、メインリンク棒５ｂはメインリンク５に固定状態で取付けられ、かつ、メインリンク５の下端はメインリンクブラケット２に軸支されているので、該メインリンク５は軸支点ｂで時計方向に回動される。
【００２４】
前記メインリンク５が時計方向に回動されると、メインリンク棒５ｂの連結片５ｄに軸支されている連結リンク９が右方向に押し出されるので、該連結リンク９の他端と連結片６ｃとの軸支点ｃを時計方向に回動させようとする力が作用する。
【００２５】
この時計方向に回動させる力が軸支点ｃに作用すると、該連結片６ｃが固定状態で取付けられているサブリンク棒６ａを時計方向に移動させようとする力がサブリンク棒６ａに作用するので、該サブリンク棒６ａが固定状態で取付けられているサブリンク６はサブリンクブラケット３との軸支点ｄを中心に時計方向に回動される。
【００２６】
このように、平行リンクを構成するメインリンク５とサブリンク６とが時計方向に回動されると、メインリンク５が軸支点ｅで軸支されているシートフレーム８ａとサブリンク６が軸支点ｆで軸支されているシートフレーム８ｂとが斜め後方（図面において斜め右上方向）に向かって押し上げられる。
【００２７】
そして、座部８を斜め後方に押し上げられた座部８の高さが、着座している被施術者の洗髪を行うための高さ位置に達したと施術者が判断した場合にはフットペダルやスイッチを操作して油圧シリンダ７への油の供給を中止することで、座部８は所望の位置で停止する。なお、上昇位置にある座部８を下降させるためには下降操作を選択することで油圧シリンダ７内の油が排出されるので、前記した説明の動作とは逆の動作によって下降して初期位置に戻るものである。
【００２８】
次に、前記した動作説明において座部の上昇に伴って背凭れ１０が伏倒する動作について説明する。
前記したサブリンク棒６ａが時計方向に回動されると、該サブリンク棒６ａに固定されている背凭れリンク片６ｂが斜め上方に変移するので、該背凭れリンク片６ｂとの軸支点ｇによって背凭れリンク１２が斜め上方に移動する。
【００２９】
この移動によって背凭れリンク１２の上端に取付けられているガイド軸１２ａが上昇して固定リンク１１の長孔１１ｃの折曲部１１ａに対して押し上げる方向に作用するが、ここで、背凭れ１０は背凭れ支持板１０ｂとの軸支点ｈで軸支されているので伏倒方向に変移することとなる。
【００３０】
背凭れ１０が伏倒方向に変移すると、前記軸支点ｈにおいて回転板１０ｃが軸支されているので、背凭れ１０が伏倒されることとなる。
【００３１】
また、背凭れ１０の伏倒途中において、背凭れ１０の先端と洗髪ボウルとの間に異物が挟まったような場合には、前記ガイド軸１２ａが固定リンク１１の長孔１１ｃ内を移動することで、背凭れ１０の荷重、被施術者の寄り掛かり荷重に対してスプリング１３のバネ力が反力として作用するので、前記異物に対して強い力での挟み込みが軽減される。
【００３２】
なお、洗髪作業が終了し初期状態に戻すと、前記した座部の下降動作を行うことで、前記した説明とは逆の動作によって背凭れ１０は起立状態となるものである。
【００３３】
前記したメイン、サブリンクブラケット２，３およびシリンダブラケット４には上下方向に取付孔２ａ，３ａ，４ａを設けたのは、理美容院に設置されている洗髪ボウルの高さが異なるので、該洗髪ボウルの高さに合わせて取付孔２ａ，３ａ，４ａを選択してメインリンクブラケット２、サブリンクブラケット３およびシリンダブラケット４ａを取付けることで、椅子の初期位置の高さが異なり、これにより、背凭れ１０が伏倒した状態時において背凭れ１０の先端高さと洗髪ボウルの高さとを一致させることができる。
【００３４】
前記した図１〜図３の図面において、サブリンクブラケット３の近傍にはポテンショメータ１４が取付けられている。そして、ポテンショメータ１４の回転軸には座部の上下動作によって抵抗値を変化させるメータリンク１５が取付けられている。
【００３５】
すなわち、メータリンク１５は、一端がポテンショメータ１４の回転軸に取付けられた第１リンク１５ａと、一端がサブリンク６に軸支された第２リンク１５ｂと、該第１、第２リンク１５ａ，１５ｂ間を連結する第３リンク１５ｃとから構成されている。そして、サブリンク６が変移することで第２、第３、第１リンクが変移してポテンショメータ１４の抵抗値が変化する。
【００３６】
この抵抗値の変化を利用して、オートリターンスイッチを操作して、上昇位置（背凭れ伏倒）を初期位置に戻し、あるいは、プリセットスイッチを操作して、予め施術者が設定した座部８の高さ位置（背凭れ伏倒位置）に自動的に変移させる。
【符号の説明】
【００３７】
１          基台
２          メインリンクブラケット
３          サブリンクブラケット
５          メインリンク
６            サブリンク
７          油圧シリンダ
８          座部
９          連結リンク
１０        背凭れ
１１        固定リンク
１２        背凭れリンク
１３        スプリング
【図１】
2010179003.tif 000003
【図２】
2010179003.tif 000004
【図３】
2010179003.tif 000005
【図４】
2010179003.tif 000006
【図５】
2010179003.tif 000007